(57)【要約】【課題】開き戸機構付き引き戸装置において、操作性がよく、かつ、誤操作のないものに構成する。【解決手段】戸袋体１に設けた落し錠装置Ｒの上ロッド１９に作動プレート２１を設ける一方、引き戸体５を、開口部上方に設けた走行レール８に左右方向移動自在に吊持される上部バー６と、該上部バー６に戸先側端部が係脱自在に吊持され、戸袋体１とともに開閉揺動する本体部７とにより構成し、前記本体部７に上部バー６と本体部７とを施錠する引き戸用施錠ユニット２２を設け、引き戸体５のスライド全開姿勢において前記作動プレート２１と引き戸用施錠ユニット２２とが連繋するように構成する。【選択図】図１１
2010024807.tif 000002
【特許請求の範囲】
【請求項１】
開口部の左右方向一半部に開閉揺動可能に設けられる戸袋体と、開口部の一半部を閉鎖する戸袋姿勢の戸袋体に沿ってスライド移動して開口部の他半部を開閉する引き戸体とを備え、前記引き戸体が開口部他半部を開放するスライド全開姿勢で引き戸体と戸袋体とが一体に開閉揺動して開口部を揺動全開姿勢とする開き戸機構付き引き戸装置を構成するにあたり、前記戸袋体に戸袋用施錠装置を設け、戸袋用施錠装置の施錠−解錠操作に伴い戸袋体を戸袋姿勢に保持する施錠状態と開閉揺動自在な解錠状態とに切換えるよう構成する一方、前記引き戸体に引き戸用施錠装置を設け、引き戸体を開閉揺動が規制される施錠状態と開閉揺動が自在となる解錠状態とに切換えるように構成し、前記戸袋用施錠装置に、引き戸体のスライド全開姿勢において引き戸用施錠装置に連繋する作動部材を設けて、戸袋用施錠装置の施錠操作に伴い施錠位置に変位した作動部材が引き戸体を施錠状態とし、解錠操作に伴い解錠位置に変位した作動部材が引き戸体を解錠状態とするように構成した開き戸機構付き引き戸装置。
【請求項２】
戸袋用施錠装置には、引き戸体がスライド全開姿勢以外の姿勢になることに伴い、施錠位置に位置する作動部材が、引き戸体に設けられる左右方向長尺状の第一規制体に当接して、戸袋用施錠装置の解錠を規制する解錠規制手段が設けられている請求項１に記載の開き戸機構付き引き戸装置。
【請求項３】
引き戸体には、戸袋用施錠装置が解錠状態になることに伴い、解錠位置に変位した作動部材が引き戸体の戸先側に設けた第二規制体に当接して、本体部の閉鎖方向への移動を規制する引き戸体位置規制手段が設けられている請求項１または２に記載の開き戸機構付き引き戸装置。
【請求項４】
戸袋用施錠装置には、戸袋体が戸袋姿勢以外の姿勢になることに伴い、解錠位置に位置する作動部材が、戸袋体に設けられ、戸袋姿勢以外の姿勢で突出する第三規制体に当接して、戸袋用施錠装置の施錠を規制する施錠規制手段が設けられている請求項１乃至３の何れか１項に記載の開き戸機構付き引き戸装置。
【請求項５】
引き戸体は、開口部上方に設けた走行レールに左右方向移動自在に吊持される上部バーと、該上部バーに戸先側端部が係脱自在に吊持され、戸袋体とともに開閉揺動する本体部とにより構成されるものとし、引き戸用施錠装置は、上部バーと本体部とを一体化する施錠状態と該一体化を解除する解錠状態とに切換えるように構成されている請求項１乃至４の何れか１項に記載の開き戸機構付き引き戸装置。
【請求項６】
引き戸体には、戸袋用施錠装置が解錠状態になることに伴い、解錠位置に変位した作動部材が開口部上方に設けた第四規制体を突出させて上部バーの位置規制片に対向し、上部バーの閉鎖方向への移動を規制する上部バー位置規制手段が設けられている請求項５に記載の開き戸機構付き引き戸装置。
【請求項７】
戸袋用施錠装置は、戸袋用ロッドを備えた落し錠により構成されるものとし、作動部材は、戸袋用ロッドに一体的に設けられ、上方に位置する施錠位置と下方に位置する解錠位置とに変位するものとする一方、引き戸用施錠装置は、本体部に上下方向移動自在に設けた引き戸用ロッドと、上部バーに設けられ、前記引き戸用ロッドの上下変位に伴い係脱するロッド受け体とにより構成され、前記引き戸用ロッドは、作動部材の変位に伴い上下変位するように構成されている請求項５または６に記載の開き戸機構付き引き戸装置。
【発明の詳細な説明】
【技術分野】
【０００１】
本発明は、建築物に形成される出入り口部等の開口部に設けられる開き戸機構付き引き戸装置の技術分野に属するものである。
【背景技術】
【０００２】
一般に、出入り口部等の開口部を仕切る戸体としては、躯体に固定される戸袋体と、該戸袋体に積層状に設けられ、戸袋体に沿って開閉移動するように構成された引き戸体が汎用されている。ところがこのものでは、出入り自在となる部位は引き戸体が開放する部位のみであるため、出入りするスペースの大きさにどうしても限界がある。そこで、引き戸体が開口部の半部を全開とするスライド全開姿勢となったとき、戸袋体と引き戸体とが一体に開閉揺動する開き戸として作動するように構成して、開口部の出入りできるスペースを拡大するようにした開き戸機構付きの引き戸が提唱されている。
【０００３】
このようなものとしては、引き戸体を開口部上方に設けた走行レールに左右方向移動自在に吊持される上部バーと本体部とにより構成し、上部バーと本体部とを、戸尻側において開閉揺動自在に枢支連結するとともに、戸先側において係止手段を介して係脱自在に連結して、引き戸体を開閉揺動する場合では、上部バーと引き戸体との係止手段を解除することで、本体部のみが開閉揺動するようにしたものが提唱されている。
【特許文献１】実公昭６３−１３３３７号公報
【発明の開示】
【発明が解決しようとする課題】
【０００４】
そして、前記従来のものにおいて、引き戸体がスライド開閉作動する場合に、本体部と上部バーとの間に施錠装置を設け、該施錠装置を施錠した状態で引き戸体のスライド開閉作動を行うことにより、本体部が不用意に開閉揺動するのを防止する構成が提唱されている。さらにこのものでは、戸袋体にも開閉揺動を規制するための施錠装置を設け、引き戸体側に設けた操作部の一回の操作で引き戸体と戸袋体との施錠装置の両者を一度に解錠する構成が記載されている。しかるに、このものにおいて、各施錠装置は、引き戸体と戸袋体とが開口部を全閉状態とした状態で、無目と引き戸体、無目と戸袋体とをそれぞれ施錠するように図示されている。そして、各施錠装置は、引き戸体が全閉姿勢の状態で施錠−解錠作動が連動するように示唆されている。このため、引き戸体を引き戸として作動させる場合であっても、操作部を解錠操作して引き戸体の施錠装置を解錠しなければならず、このようにすると、戸袋体の施錠装置も引き戸体の施錠装置に連動して解錠されてしまい、引き戸体がスライド開閉する過程で戸袋体の開閉揺動が許容され、この状態において、仮に戸袋体に開閉揺動方向の負荷が作用すると戸袋体が揺動してしまうという誤作動が発生することになり、このようなものを開き戸機構付き引き戸装置にそのまま採用することはできず、ここに本発明の解決すべき課題がある。
【課題を解決するための手段】
【０００５】
本発明は、上記の如き実情に鑑みこれらの課題を解決することを目的として創作されたものであって、請求項１の発明は、開口部の左右方向一半部に開閉揺動可能に設けられる戸袋体と、開口部の一半部を閉鎖する戸袋姿勢の戸袋体に沿ってスライド移動して開口部の他半部を開閉する引き戸体とを備え、前記引き戸体が開口部他半部を開放するスライド全開姿勢で引き戸体と戸袋体とが一体に開閉揺動して開口部を揺動全開姿勢とする開き戸機構付き引き戸装置を構成するにあたり、前記戸袋体に戸袋用施錠装置を設け、戸袋用施錠装置の施錠−解錠操作に伴い戸袋体を戸袋姿勢に保持する施錠状態と開閉揺動自在な解錠状態とに切換えるよう構成する一方、前記引き戸体に引き戸用施錠装置を設け、引き戸体を開閉揺動が規制される施錠状態と開閉揺動が自在となる解錠状態とに切換えるように構成し、前記戸袋用施錠装置に、引き戸体のスライド全開姿勢において引き戸用施錠装置に連繋する作動部材を設けて、戸袋用施錠装置の施錠操作に伴い施錠位置に変位した作動部材が引き戸体を施錠状態とし、解錠操作に伴い解錠位置に変位した作動部材が引き戸体を解錠状態とするように構成した開き戸機構付き引き戸装置である。
請求項２の発明は、戸袋用施錠装置には、引き戸体がスライド全開姿勢以外の姿勢になることに伴い、施錠位置に位置する作動部材が、引き戸体に設けられる左右方向長尺状の第一規制体に当接して、戸袋用施錠装置の解錠を規制する解錠規制手段が設けられている請求項１に記載の開き戸機構付き引き戸装置である。
請求項３の発明は、引き戸体には、戸袋用施錠装置が解錠状態になることに伴い、解錠位置に変位した作動部材が引き戸体の戸先側に設けた第二規制体に当接して、本体部の閉鎖方向への移動を規制する引き戸体位置規制手段が設けられている請求項１または２に記載の開き戸機構付き引き戸装置である。
請求項４の発明は、戸袋用施錠装置には、戸袋体が戸袋姿勢以外の姿勢になることに伴い、解錠位置に位置する作動部材が、戸袋体に設けられ、戸袋姿勢以外の姿勢で突出する第三規制体に当接して、戸袋用施錠装置の施錠を規制する施錠規制手段が設けられている請求項１乃至３の何れか１項に記載の開き戸機構付き引き戸装置である。
請求項５の発明は、引き戸体は、開口部上方に設けた走行レールに左右方向移動自在に吊持される上部バーと、該上部バーに戸先側端部が係脱自在に吊持され、戸袋体とともに開閉揺動する本体部とにより構成されるものとし、引き戸用施錠装置は、上部バーと本体部とを一体化する施錠状態と該一体化を解除する解錠状態とに切換えるように構成されている請求項１乃至４の何れか１項に記載の開き戸機構付き引き戸装置である。
請求項６の発明は、引き戸体には、戸袋用施錠装置が解錠状態になることに伴い、解錠位置に変位した作動部材が開口部上方に設けた第四規制体を突出させて上部バーの位置規制片に対向し、上部バーの閉鎖方向への移動を規制する上部バー位置規制手段が設けられている請求項５に記載の開き戸機構付き引き戸装置である。
請求項７の発明は、戸袋用施錠装置は、戸袋用ロッドを備えた落し錠により構成されるものとし、作動部材は、戸袋用ロッドに一体的に設けられ、上方に位置する施錠位置と下方に位置する解錠位置とに変位するものとする一方、引き戸用施錠装置は、本体部に上下方向移動自在に設けた引き戸用ロッドと、上部バーに設けられ、前記引き戸用ロッドの上下変位に伴い係脱するロッド受け体とにより構成され、前記引き戸用ロッドは、作動部材の変位に伴い上下変位するように構成されている請求項５または６に記載の開き戸機構付き引き戸装置である。
【発明の効果】
【０００６】
請求項１の発明とすることにより、戸袋用施錠装置の一回の操作で、戸袋体と引き戸体との両者をそれぞれ施錠状態、または、解錠状態とすることができるうえ、引き戸体がスライド開閉する過程で戸袋体が開閉揺動するような誤作動を防止することができる。
請求項２の発明とすることにより、引き戸体のスライド開閉作動時に、戸袋体が揺動するような誤作動を確実に防止できる。
請求項３の発明とすることにより、引き戸として作動する状態と開き戸として作動する状態との切換えが円滑で、しかも、誤作動がなく、操作性のさらなる向上を図ることができる。
請求項４の発明とすることにより、操作性がよく、誤作動が発生することのない開き戸機構付き引き戸装置とすることができる。
請求項５の発明とすることにより、円滑で静粛な開き戸機構付き引き戸装置とすることができるうえ、引き戸体が誤作動することがないようにできる。
請求項６の発明とすることにより、引き戸として作動する状態と開き戸として作動する状態との切換えが円滑で、しかも、誤作動がなく、操作性のさらなる向上を図ることができる。
請求項７の発明とすることにより、落し錠装置と引き戸用施錠装置との連繋構成の簡略化を図ることができる。
【発明を実施するための最良の形態】
【０００７】
つぎに、本発明の実施の形態について、図面に基づいて説明する。
図中、１は例えば病院の集中治療室等の室内への出入り口部となる開口部の一半部を閉鎖する戸袋体であって、該戸袋体１は、表裏一対のパネル体２、３を用いて構成されている。前記表裏パネル体２、３同士は、上下端面同士に一体化片１ａ、１ｂが設けられており、これによって、パネル体２、３同士が個別に動くことがなく、かつ、互いの対向間に所定間隙Ｈが形成される状態で連結されている。さらに、表裏パネル体２、３の戸尻側同士は、金属製材で構成される上下方向長尺状の連結金具１ｃを用いて一体的に連結されており、該連結金具１ｃの外周を断面半円形状のゴム質弾性材からなる緩衝体ＳＡにより覆蓋される構成となっている。一方、開口部上部を構成する上側枠体４と床面Ｆとには、戸袋体１の戸尻側に対向する箇所にそれぞれピボットヒンジ４ａ、４ｂが設けられており、これらピボットヒンジ４ａ、４ｂは、前記上下の一体化片１ａ、１ｂの戸尻側端部（一端部）に設けた軸受け部１ｄ、１ｅに軸承されている。これによって、戸袋体１は開口部に枢支され、上下のピボットヒンジ４ａ、４ｂを枢軸として、図１（Ａ）の図面手前側（表側）に向けて開閉揺動が可能となるように構成されている。
また、戸袋体１は、表裏何れか一方のパネル体２、３（本実施の形態では、裏パネル体３）の戸先側に、落し錠装置（本発明の戸袋用施錠装置に相当する）Ｒが設けられる一方、上側枠体４と床面Ｆとには、前記落し錠装置Ｒ配設部に対向して凹溝状の錠受け部４ｃ、４ｄが形成されている。そして、後述するように、落し錠装置Ｒの上、下ロッド１９、２０が錠受け部４ｃ、４ｄに没入する施錠状態となることにより、裏パネル体３の戸先側部位が上側枠体４と床面Ｆとに係止し、戸袋体１が開口部一半部を閉鎖する戸袋姿勢に保持されて戸袋としての機能を発揮し、上、下ロッド１９、２０が錠受け部４ｃ、４ｄから抜出して落し錠装置Ｒが解錠状態となることにより、戸袋体１がピボットヒンジ４ａ、４ｂを枢軸とする開閉揺動が可能となって開き戸としての機能を発揮するように構成されている。
【０００８】
また、５は開口部の他半部を開閉する引き戸体であって、該引き戸体５は、前記戸袋体１の上側一体化片１ａよりも上位に位置して設けられる左右方向長尺状の上部バー６と、開口部の他半部を閉鎖可能な大きさに設定された本体部７とを備えて構成されている。前記本体部７は、戸袋体１の対向間の所定間隙Ｈよりも薄い板厚を有し、かつ、戸袋体１の上下寸法よりも短い上下長さに構成され、表裏一対のパネル体２、３の対向間にスライド移動自在となるように構成されている。前記上部バー６の戸先側には、表裏方向に貫通する貫通孔６ａを備えて構成される左右一対のフック体６ｂが下方に突出する状態で設けられている一方、本体部７の上端面には、前記フック体６ｂの貫通孔６ａに表裏方向の抜挿し操作をすることで係脱自在に係止する係止片７ａが上方に向けて突出形成されており、これらフック体６ｂと係止片７ａとで構成される係止手段の係止により、上部バー６と本体部７との戸先側部位が連結、吊持（支持）されて、上部バー６と本体部７とがスライド開閉移動については一体作動するように一体化された引き戸体５を構成するように設定されている。
【０００９】
前記上側枠体４は、躯体開口部の上部に一体に設けられる長尺体で形成されており、該上側枠体４の一方の面（本実施の形態では表側面）４ｅには走行レール８が開口部の略左右方向全長に亘って一体的に設けられている。前記走行レール８は、表側に突出する突片８ａの突出先端部に上方に膨出するレール部８ｂが形成される構成となっている。一方、前記引き戸体５の上部バー６の左右二箇所にはそれぞれローラブラケット９が設けられており、これら一対のローラブラケット９の裏面に、前記走行レール８のレール部８ｂに上側から係止してレール部８ｂ上を走行する走行ローラ９ａがそれぞれ回転自在に軸承されている。これによって、引き戸体５は、上部バー６が走行レール８に吊持状に支持され、該走行レール８に吊持される上部バー６に、本体部７の戸先側端部が吊持される状態となって走行レール８を走行するように構成されている。
【００１０】
このように構成された引き戸体５は、落し錠装置Ｒによる施錠がなされて戸袋体１が戸袋姿勢となっている状態において、本体部７に設けた把手７ｂを把持して左右方向のスライド開閉する操作がなされた場合では、上部バー６側に設けられる走行ローラ９ａが走行レール８のレール部８ｂを走行して、本体部７と上部バー６とが一体となってスライド移動する引き戸として作動するように構成されている。そして、引き戸体５は、図１（Ａ）、図２に示すように、本体部７の戸尻側端部が戸袋体１の戸先側部位に位置して、開口部他半部を閉鎖して開口部全域が閉鎖される全閉姿勢から、図３に示すように、本体部７の戸先側部位を除く部位が戸袋体１内（パネル体２、３の対向間）に位置し、開口部の他半部を開放するスライド全開姿勢に変姿して開口部他半部をスライド開閉するように構成されている。この場合に、引き戸体５の上部バー６は走行レール８に吊持される状態で、戸袋体１の上側一体化片１ａの上方をスライド移動する一方、本体部７は、戸先側部位については上部バー６による吊持支持を受け、戸尻側部位については戸袋体１の表裏パネル体２、３とのあいだをスライド移動するように構成されている。
このとき、本体部７は、戸袋体１（表裏パネル体２、３の対向間）との間に設けられる後述する支持手段により、スライド移動自在に支持されるように構成されている。これによって、本体部７は上部バー６による片持ち状の支持だけでなく、戸袋体１との間の支持手段による支持を受けることになって、引き戸体５が引き戸として作動する場合に、引き戸体５の支持バランスが良好で、スライド移動が円滑になされるように構成されている。
【００１１】
さらに、前記引き戸体５のスライド全開姿勢において、戸袋体１に設けた落し錠装置Ｒを解錠して戸袋体１を開閉揺動自在な状態とするとともに、戸袋体１を表側に向けて開放揺動操作がなされると、該戸袋体１の表側への変位に伴い、引き戸体５の本体部７の係止片７ａが上部バー６のフック体６ｂから抜出して上部バー６と本体部７との係止が解除され、上部バー６と本体部７とが互いに自由な状態となり、図４に示すように、上部バー６は開口部上方の走行レール８に吊持されたままで、本体部７と戸袋体１とが表裏方向に揺動（開閉揺動）して開き戸として作動するように構成されている。このようにすることにより、戸袋体１と本体部７とは、開口部の一半部を閉鎖する戸袋体１の戸袋姿勢（本体部７のスライド全開姿勢）から、図１（Ｂ）、図４、図５に示すように、開口部の一半部を含む開口部全域を開放する揺動全開姿勢に変姿して、開口部全域を開閉揺動するように構成されている。
【００１２】
ここで、戸袋体１と引き戸体５とが開き戸として作動する場合に、スライド全開姿勢となった引き戸体５において、前述したように、走行ローラ９ａが設けられて上側枠体４に設けた走行レール８を走行する上部バー６は、戸袋体１の上方に位置していて走行レール８に吊持された状態が保持される一方、本体部７は戸袋体１から外部に露出する戸先側部位は上部バー６に吊持され、その他の部位は戸袋体１内（表裏パネル体２、３の対向間）に移動して戸袋体１に支持された状態となっている。このように、引き戸体５は、走行レール８に吊持される上部バー６と、戸袋体１と一体に開閉揺動する本体部７とが開放操作に伴い分割される構成となっているので、従来の引き戸体に走行ローラが一体に設けられるもののように走行レールを戸袋側と開口部上方側とに分割する必要がなく、上側枠体４に一体的に設けることができ、引き戸体５が引き戸として走行レール８を走行する場合に、円滑な走行を実現できて静粛になるうえ、走行ローラ９ａの耐久性を向上することができて、優れた開き戸機構付き引き戸装置を提供できるように構成されている。
尚、戸袋体１を構成する一対の表裏パネル体２、３は、前述したように、上下の一体化片１ａ、１ｂ、連結金具１ｃとにより一体化されており、これら表裏パネル体２、３の対向間に引き戸体５の本体部７が引込まれる構成となっている。このため、引き戸体５をスライド全開姿勢としたときに、戸袋体１の上方に配設される上部バー６と本体部７との連結部が干渉する部位については、表裏パネル体２、３を連結する上側の一体化片１ａを設けることはできない。これに対し、本実施の形態では、本体部７を上部バー６と、戸袋体１との間に設けた支持手段により支持する構成とすることにより、上部バー６と本体部５との連結部（支持部）を戸先側にのみ設ける構成として、引き戸体５のスライド全開姿勢において、引き戸体５の連結部が上側の一体化片１ａに干渉する部位が戸先側となるようにしている。これによって、上側の一体化片１ａが戸袋体１の戸先側まで配設されることになって、表裏パネル体２、３の一体化強度を高めることができるように構成されている。
【００１３】
尚、１０は自動閉鎖装置であって、ワイヤ１０ａを介して引き戸体５の上部バー６に連結され、引き戸体５が引き戸として作動する場合に、引き戸体５の開放作動に伴い図示しない付勢手段が付勢され、引き戸体５を自閉させるように構成されている。１１は制動装置であって、引き戸体５が引き戸として作動する場合に、引き戸体５のスライド開閉作動を所定の速度範囲内に制動するように構成されている。１２、１２ａはエンドストッパ、エンドストッパ受けであって、引き戸体５が引き戸として作動する場合に、引き戸体５のスライド全開姿勢への変姿に伴い上部バー６を係止して、引き戸体５（上部バー６）をスライド全開姿勢に保持するように構成されている。１３は第一位置決め部材であって、戸袋体１が本体部７とともに開き戸として作動する場合に、戸袋体１の戸袋姿勢への変姿に伴い戸袋体１に設けた位置決めローラ１ｆが係脱自在に係止して、戸袋体１を戸袋姿勢に位置決めするように構成されている。１３ａは第二位置決め部材であって、戸袋体１が本体部７とともに開き戸として作動する場合に、戸袋体１の揺動全開姿勢を越える開放揺動を規制するように構成されている。また、４ｆは、上側枠体４の表側に設けられ、上側枠体４に設けられる走行レール８や前記各主部材を覆蓋するカバー体である。
ここで、開き戸機構付き引き戸装置において、戸袋体１と本体部７とが開き戸として作動する状態から、引き戸として作動する場合では、戸袋体１を位置規制部材１３に突当てるように閉鎖揺動して戸袋姿勢とすることに伴い、スライド全開姿勢に位置する上部バー６のフック体貫通孔６ａに対して本体部７（引き戸体５）の係止片７ａが挿込まれて係止し、上部バー６と本体部７とが一体化するように構成されており、この状態において、落し錠装置Ｒを施錠状態とすることで、戸袋体１が戸袋として機能し、引き戸体５が引き戸として作動するように構成されている。
【００１４】
つぎに、戸袋体１と引き戸体５の本体部７との間に設けられる支持手段について説明する。
図６（Ｂ）に示すように、前記本体部７の戸尻側端部の表面上部には支持受けローラ１４が回転自在に設けられる一方、一方のパネル体（本実施の形態では表パネル体２）側の面であって、本体部７配設側の面の上部には長尺状の支持レール１５が左右幅一体に設けられ、前記支持受けローラ１４が、支持レール１５の上方に突出するレール部１５ａに上側から載置して、表裏方向抜止め状に支持された状態でレール部１５ａ上を移動自在に走行するように構成されており、該構成が本発明の第一支持手段に相当している。
また、本体部７の裏面であって、他方のパネル体（本実施の形態では裏パネル体３）側の面の上部には、長尺状の支持受けレール１６が左右幅一体に設けられている一方、裏パネル体３の戸先側端部の表面上部には、本体部７側に向けて突出する状態で支持ローラ１７が設けられ、前記支持受けレール１６は、下方に突出するレール部１６ａが支持ローラ１７に上側から載置して、表裏方向抜止め状に支持された状態で支持ローラ１７上を移動自在に走行するように構成されており、該構成が本発明の第二支持手段に相当している。
そして、本体部７は、戸先側部位が上部バー６に吊持支持されるとともに、戸尻側の支持受けローラ１４が表パネル体２の支持レール１５に支持されており、さらに、左右方向長尺状に設けられた支持受けレール１６が支持ローラ１７に支持されることにより、戸袋体１の戸先側における支持を受けるように構成されている。これによって、引き戸体５が引き戸として作動する場合に、本体部７は前記三箇所における支持を受けてスライド開閉移動をするように構成され、本体部７が開口部他半部の何れの位置に位置する状態であっても戸袋体１に支持されて、バランスのよい支持状態となるように設定されている。
【００１５】
前記第一、第二支持手段による支持状態において、引き戸体５（本体部７）の全閉姿勢では、図２に示すように、本体部７は、上部バー６による戸先側の支持と、支持受けローラ１４と支持レール１５との第一支持手段と、支持受けレール１６と支持ローラ１７との第二支持手段との両者により戸尻側の支持がなされて、戸先側と戸尻側との都合二箇所における支持がなされた状態となっており、この状態では、本体部７の荷重は、二箇所の支持部に対して荷重が作用するように構成されている。
前記状態から引き戸体５がスライド開放した場合では、本体部７は、上部バー６による戸先側の支持と、支持受けローラ１４と支持レール１５と（第一支持手段）による戸尻側の支持と、戸袋体１の戸先側端部における支持受けレール１６と支持ローラ１７と（第二支持手段）による本体部７の左右方向中間部の支持との三箇所で支持されるように構成されており、本体部７がスライド全開姿勢に変姿する過程で、上部バー６が受け止める本体部７の荷重と、第一、第二支持手段が受け止める本体部７の荷重とが次第に変化し、戸袋体１に引込まれる面積が多くなる（開口部他半部の開放量が大きくなる）に従い、第一、第二支持手段（戸袋体１側）が受け止める荷重の割合が増大して、本体部７がスライド全開姿勢となった状態では、殆ど第一、第二支持手段（戸袋体１）側が受止めるように構成されている。これによって、スライド全開姿勢において、上部バー６と本体部７との吊持状の連結部に作用する本体部の荷重（負荷）が小さくなり、フック体６ｂに吊持する係止片７ａの吊持力（係止力）が小さくなって、係止片７ａをフック体６ｂに対して抜挿し（係脱）する操作が軽快、かつ、円滑になるように構成されている。
【００１６】
さらに、本実施の形態では、本体部７の開口部に対する配設位置（支持位置）であって、開口部に対して支持される本体部７の高さ位置は、上部バー６により本体部７を支持する高さと、支持受けローラ１４と支持レール１５との第一支持手段により本体部７を支持する高さとは同位置になるように設定されるが、支持受けレール１６と支持ローラ１７との第二支持手段により本体部を支持する高さは、前記第一支持手段、上部バー６により本体部７を支持する高さよりも僅かに高位になるように設定されている。
つまり、引き戸体５を全閉姿勢にした場合では、図７（Ａ）のパターン化された図面に示すように、本体部７は、戸先側は上部バー６に支持され、戸尻側は本体部７を第一支持手段よりも高位に支持する第二支持手段が支持する状態となり、これによって、上部バー６により支持される本体部７の戸先側は、第二支持手段よりも本体部７を低位に支持するように構成されていて、戸尻側よりも僅かに下がった状態で吊持されるように構成されており、本体部７の戸尻側に位置する第一支持手段による支持部においては、支持受けローラ１４が支持レール１５から僅かに高位に位置して浮いた状態となっている。
【００１７】
前記状態から引き戸体５がスライド開放すると、前述したように、本体部７による開放量が大きくなるに従い、本体部７の荷重は、上部バー６から第一、第二支持手段側に移動するが、この場合では、第二支持手段による支持部が戸先側と戸尻側における支持部よりも本体部７を高位に支持するように構成されているため、本体部７の荷重の半分以上が戸袋体１側に支持される状態となると、本体部７は、前記戸先側（上部バー６による支持部）が下がった状態から、第二支持手段による支持部を支点とする状態で第一支持手段による支持部である戸尻側が下がった状態に移行する。この状態となると、本体部７は、戸袋体１の戸先側の支持ローラ１７が支持受けレール１６を支持する第二支持手段による支持と、支持レール１５が戸尻側の支持受けローラ１４を支持する第一支持手段とによる支持とがなされる状態となり、第二支持手段よりも戸先側に位置する戸先側の上部バー６との支持部は、第二支持手段による支持位置よりも僅かに高位となるように構成されている。このため、引き戸体５（本体部７）がスライド全開姿勢となり、図７（Ｂ）のパターン化された図面に示すように、第二支持手段による支持部が、上部バー６による支持部である係止片７ａとフック体６ｂとによる左右一対の係止部のあいだに位置して支持する状態では、上部バー６による支持部よりも第二支持手段による支持部の方が本体部７を高位に支持することから、係止片７ａが設けられる本体部７の戸先側部位が上部バー６に対して相対的に上動することになり、係止片７ａがフック体６ｂの貫通孔６ａの上方に変位して浮いた状態となるように構成されている。これによって、上部バー６による本体部７の支持部である係止片７ａとフック体６ｂとの係止部は、左右方向への係止はなされた状態であるものの、係止片７ａがフック体６ｂに作用する吊持力が殆どない状態となり、上部バー６と本体部７との係脱操作であって、係止片７ａをフック体６ｂに対して抜挿しする操作が一層軽快、かつ、円滑になるように構成されている。
ここで、戸袋体１と本体部７との間に設けられる支持手段は、本体部７（引き戸体５）のスライド全開姿勢において、本体部７の戸先側部位（上部バー６との連結支持部）を上部バー６に対して相対上動させるような支持手段であれば何れの手段をも採用することができ、戸先側の上動量は、本実施の形態の場合では、係止片７ａがフック体６ｂに形成される貫通孔６ａ内において移動可能な範囲に定される。
尚、本実施の形態のように、上部バー６、第一、第二支持手段により本体部７を支持するものにおいて、上部バー６と第二支持手段とにより本体部７を支持する高さを同じとし、第一支持手段により本体部７を支持する高さが低位となる構成であってもよく、この場合では、第二支持手段による支持部を上部バー６による支持部よりも戸尻側に位置させることで、本体部７の戸先側端部を上部バー６に対して相対上動させることができる。また、本体部７を上部バー６による支持と、第二支持部と同様の構成による支持との二箇所により支持する場合では、第二支持部による本体部７の支持高さを高位にすることにより、本体部７の戸先側端部を上部バー６に対して相対上動させることができる。
【００１８】
つぎに、戸袋体１を戸袋姿勢に保持する落し錠装置Ｒについて説明する。
前記落し錠装置Ｒは、前述したように、戸袋体１を構成する裏パネル体３に設けられており、施錠状態となることにより戸袋体１を戸袋姿勢に保持し、解錠状態となることにより戸袋体１の開閉揺動を許容するが、本実施の形態の落し錠装置Ｒは、戸袋体１（裏パネル体３）に設けた操作部１８を施錠−解錠操作することにより、戸袋体１の施錠−解錠をするとともに、スライド全開姿勢となった引き戸体５を、上部バー６と本体部７とを一体化する施錠状態と、上部バー６と本体部７との一体化を解除して戸袋体１との開閉揺動が許容される解錠状態とに切換えることができるように構成されている。これによって、落し錠装置Ｒが施錠状態となり、戸袋体１は戸袋姿勢に保持され、引き戸体５が引き戸として作動する場合に、上部バー６と本体部７との間がフック体６ｂと係止片７ａとによる一体化とともに落し錠装置Ｒによる一体化がなされて、引き戸体５が左右方向、前後方向におけるガタつきに対応し得る一体化状態となるように構成されている。
【００１９】
前記落し錠装置Ｒを施錠−解錠状態とするための操作部１８は、裏パネル体３の戸先側端面の上下方向中間位置に位置して設けられており、該操作部１８には、裏パネル３の戸先側端部に内装され、裏パネル体３の上下端面からそれぞれ上下方向に突出する先端部を備えた上下一対の上、下ロッド１９、２０の基端部がそれぞれ連動連結されており、操作部１８の施錠−解錠操作がなされた場合では、各上、下ロッド１９、２０がそれぞれ上下方向に変位するように構成されている。そして、戸袋体１の戸袋姿勢において、上、下ロッド１９、２０が突出する施錠状態では、各上、下ロッド１９、２０の各先端部が上側枠体４と床面Ｆとに形成された各錠受け部４ｃ、４ｄにそれぞれ係止して戸袋体１を戸袋姿勢に保持するように構成されている。
【００２０】
前記裏パネル体３の上端面は、表パネル体２、引き戸体５の各上端面よりも低位に位置して形成されており、裏パネル体３上端面の戸先側端部から突出し、本発明の戸袋用ロッドに相当する上ロッド１９の先端部は、図８に示すように、上側先端１９ａと下側先端１９ｂに二分割されており、これら上側先端１９ａと下側先端１９ｂとの間に、本発明の作動部材に相当する四角形状の作動プレート２１が一体的に組込まれている。そして、上ロッド１９の先端部は、作動プレート２１配設部位が裏パネル体３の上端面より上方に位置する状態で設けられており、操作部１８による施錠操作がなされて落し錠装置Ｒが施錠状態となり、上ロッド上側先端１９ａが上側枠体４に固定された錠受け部４ｃに没入して係止する状態では、作動プレート２１は引き戸体５の上端面と略同位置の施錠位置に位置するように設定されている。これに対し、操作部１８による解錠操作がなされて落し錠装置Ｒが解錠状態となり、上ロッド上側先端１９ａが錠受け部４ｃから脱出して係止解除する状態では、作動プレート２１は上ロッド１９と一体下動して本体部７の上端面より下方に位置する解錠位置に変位するように構成されている。
【００２１】
一方、本体部７の上部戸先側であって、支持受けレール１６戸先側に隣接する部位には、前記作動プレート２１に連繋して上部バー６と本体部７とを一体化状態（施錠）と一体化解除状態（解錠状態）とに切換える引き戸用施錠装置に相当する引き戸用ロッドユニット２２が設けられている。
前記引き戸用ロッドユニット２２は、図９に示すように、本体部７に内装されるケーシング２２ａに、ブロック状の移動体２２ｂが上下方向移動自在に内装されており、該移動体２２ｂに、引き戸用ロッド２２ｃの基端部が一体的に設けられている。前記移動体２２ｂは弾機２２ｄにより上方に向けて付勢される一方、移動体２２ｂには作動体２２ｅが一体的に連結されている。そして、作動体２２ｅは、本体部７の裏面を貫通して裏パネル体３側に向けて突出配設されており、作動体２２ｅの裏側端面と前記支持受けレール１６の裏側端面とは略面一状に配設されている。
また、前記作動プレート２１は、表側端縁部２１ａが本体部７の裏面に近接する位置にまで延出して形成されており、引き戸体５がスライド全開姿勢に位置する状態では、表側端縁部２１ａの戸先側部位の直下に前記引き戸用ロッドユニット２２の作動体２２ｅが位置し、これによって、作動プレート２１と引き戸用ロッドユニット２２とが連繋するように設定されている。
【００２２】
そして、引き戸体５のスライド全開姿勢において、作動プレート２１が施錠位置に位置する場合では、作動プレート２１は作動体２２ｅの上方に位置して作動体２２ｅと作動プレート２１とが互いに干渉することはなく、引き戸用ロッド２２ｃは弾機２２ｄの付勢力を受けて上方に突出しており、この状態では、引き戸用ロッド２２ｃの先端部が上部バー６の下面に設けたロッド受け体６ｃに嵌入係止して、上部バー６と本体部７とを施錠状態（一体化状態）とするように設定されている（図１５（Ａ）参照）。この状態から、作動プレート２１が解錠位置に変位する場合では、下動する作動プレート２１が弾機２２ｄの付勢力に抗して作動体２２ｅを強制的に下動せしめ、これによって、作動体２２ｅと一体に変位する移動体２２ｂおよび引き戸用ロッド２２ｃが一体に下動し、引き戸用ロッド２２ｃと上部バー６のロッド受け体６ｃとの係止が解除されて、上部バー６と本体部７との一体化が解除される解錠状態となるように構成されている（図１５（Ｂ）参照）。尚、解錠状態となった引き戸用ロッド２２ｃは、作動プレート２１が施錠位置に変位することに伴い、弾機２２ｄの付勢力を受けて上方に突出して施錠状態となるように構成されている。
このように、落し錠装置Ｒの操作部１８を施錠−解錠操作することにより、戸袋体１が施錠−解錠状態に切換わるとともに、引き戸体５の上部バー６と本体部７とを施錠−解錠状態に切換えることができるように構成されている。これによって、操作部１８の一回の操作で戸袋体１と引き戸体５との両者を施錠−解錠状態に切換えることができ、操作性が向上するように構成されている。この場合に、上ロッド１９と引き戸用ロッド２２ｃとの作動方向（作用方向）が同様であるので、上ロッド１９に一体化された作動プレート２１と引き戸用ロッドユニット２２との連繋構成を簡略化することができるように構成されている。
尚、本実施の形態において、作動体２２ｅは移動体２２ｂから突出する軸部にローラを転動自在に設けることにより構成されており、これによって、作動体２２ｅのケーシング２２ａへの取付け、位置調整が簡略化されているが、作動プレート２１の姿勢変姿に伴い引き戸用ロッド２２ｃを上下変位させることができる部材であればローラに限定されることはない。
【００２３】
さらに、本発明が実施された落し錠装置Ｒには、施錠位置、解錠位置に変位する作動プレート２１を用いた複数の手段が設けられている。
まず、落し錠装置Ｒが施錠状態にあって、引き戸体５がスライド開閉する状態では、施錠位置に位置する作動プレート２１は、落し錠装置Ｒの解錠を規制する解錠規制手段を構成している。
前記解錠規制手段は、前記施錠位置に位置する作動プレート２１と、本体部７裏面の上部に設けられる左右方向長尺状の第一規制体とにより構成されるが、本実施の形態では、第一規制体として支持受けレール１６の上端面１６ｂが兼用されており、これによって、部材の兼用化がなされて構成の簡略化が図られている。前記支持受けレール１６は、前述したように、引き戸用ロッドユニット２２の作動体２２ｅの戸尻側に隣接して配設されているとともに、支持受けレール１６の上端面１６ｂの位置は、作動プレート２１の施錠位置と解錠位置との間に位置するように配設されている。そして、引き戸体５のスライド全開姿勢では、支持受けレール１６と作動プレート２１とが上下方向に対向することがなく、作動プレート２１の施錠位置と解錠位置との間の上下変位が可能となるように構成されている。
そして、引き戸体５のスライド全開姿勢から、図１３に示すように、引き戸体５が閉鎖方向にスライド変位すると、支持受けレール１６と作動プレート２１の前端縁部２１ａとが上下方向に対向するように構成されている。そして、落し錠装置Ｒが施錠状態となり、引き戸体５がスライド移動してスライド全開姿勢を除く任意の位置に位置する場合では、施錠位置の作動プレート２１の下方に支持受けレール１６が位置しており、この状態において、作動プレート２１が解錠位置に変位しようとしても支持受けレール１６に当接して、作動プレート２１を解錠位置にまで変位させることができないように構成され、これによって、施錠状態の落し錠装置Ｒの解錠規制がなされ、該構成が解錠規制手段に相当する。
このように、落し錠装置Ｒは、引き戸体５によるスライド開閉がなされる状態であり、引き戸体５がスライド全開姿勢を除く任意の位置に位置する場合では、作動プレート２１と引き戸用ロッドユニット２２との連繋がなされず、引き戸体５が施錠−解錠状態に切換わることはないが、この状態では、解錠規制手段が機能して作動プレート２１の変位が規制されることにより解錠操作ができず、戸袋体１が解錠状態となることがなく、これによって、引き戸体５のスライド開閉作動時に、落し錠装置Ｒが解錠操作されて戸袋体１が揺動するような誤作動を確実に防止できるように構成されている。
【００２４】
さらに、落し錠装置Ｒが解錠状態にあって、戸袋体１と引き戸体５とが開閉揺動する状態では、解錠位置に位置する作動プレート２１は、落し錠装置Ｒの施錠を規制する施錠規制手段を構成している。
前記施錠規制手段は、解錠位置に位置する作動プレート２１と裏パネル体３の上端面に設けられる施錠規制ユニット２３とを用いて構成されている。前記施錠規制ユニット２３は、図１０に示すように、上ロッド１９の下側先端１９ｂが上下方向移動自在に貫通する貫通孔２３ａが開設された支持プレート２３ｂと、該支持プレート２３ｂの戸尻側に一体的に設けられ、裏パネル体３の戸先側に固定されるケース体２３ｃとを備えて構成されている。一方、作動プレート２１の戸尻側端面には、戸尻側に向けて突出する突起２１ｂが一体形成されている。そして、支持プレート２３ｂの貫通孔２３ａに上ロッド１９の下側先端１９ｂを貫通した状態において、作動プレート２１の突起２１ｂがケース体２３ｃの戸先側端面に対向するように設定されている。前記ケース体２３ｃの戸先側端面には、作動プレート２１の施錠位置と解錠位置との中間部に対向する部位に位置し、突起２１ｂに対向するようにして本発明の第三規制体に相当する規制ピン２３ｄが左右方向移動自在に設けられている。前記規制ピン２３ｄは、ケース体２３ｃの裏面から突出する操作軸２３ｅに連動連結されており、操作軸２３ｅが裏面側に突出する突出姿勢になることにより、規制ピン２３ｄが戸先側（左側）に突出して作動プレート２１の突起２１ｂと干渉する干渉姿勢となるように構成されている。さらに、ケース体２３ｃには付勢弾機２３ｆが設けられており、操作軸２３ｅを突出姿勢に付勢しており、これによって、規制ピン２３ｄは戸先側に突出する干渉姿勢となるように付勢されている。そして、操作軸２３ｅは、戸袋体１が戸袋姿勢となって上側枠体４に突当てられた状態となると、付勢弾機２３ｆの付勢力に抗して退避姿勢となり、規制ピン２３ｄを作動プレート２１の突起２１ｂに干渉することがない非干渉姿勢とするように構成されている。
【００２５】
そして、施錠規制ユニット２３は、戸袋体１が戸袋姿勢となって、操作軸２３ｅが退避姿勢、規制ピン２３ｄが非干渉姿勢となっている場合（図１０（Ｂ）における二点鎖線）では、作動プレート２１の施錠位置と解錠位置との間の上下変位が可能となるように構成されるが、戸袋体１が戸袋姿勢以外の姿勢となると、操作軸２３ｅが突出姿勢、規制ピン２３ｄが干渉姿勢となり（図１０（Ｂ）における実線）、作動プレート２１の突起２１ｂが規制ピン２３ｄに干渉して作動プレート２１の施錠位置と解錠位置とのあいだの変位が規制され、引き戸用ロッド２３ｄと上ロッド１９との両者の変位を規制するように構成されている。
これによって、落し錠装置Ｒは、戸袋体１が戸袋姿勢となった状態において作動プレート２１の変位、即ち、施錠−解錠操作が可能になる一方、戸袋体１が戸袋姿勢以外の姿勢、即ち、落し錠装置Ｒが解錠状態となって戸袋体１が開閉揺動している状態では、落し錠装置Ｒを施錠状態とすることが規制され、該構成が解錠規制手段に相当する。
このように、落し錠装置Ｒは、戸袋体１と引き戸体５とが開閉揺動する状態であり、戸袋体１と引き戸体５（本体部７）とが戸袋姿勢を除く任意の開放位置に位置する場合では、施錠規制手段が機能して落し錠装置Ｒの施錠を規制することができ、不用意に引き戸用ロッド２２ｃが突出することがないばかりでなく、上ロッド１９が突出するような不具合を確実に防止できて、これらロッド２２ｃ、１９が邪魔をして、戸袋体１と引き戸体５とが開閉揺動する状態から開口部一半部を閉鎖する戸袋姿勢とスライド全開姿勢とに変姿できないような不具合（誤作動）をなくすことができる。さらに、落し錠装置Ｒが解錠状態となっていることにより機能する後述する本体部位置規制手段（本発明の引き戸体位置規制手段に相当する）と上部バー位置規制手段とが機能しなくなることを防止できるように構成されている。
ここで、前記解錠規制手段において、引き戸体５のスライド全開姿勢でのみ作動プレート２１の施錠位置−解錠位置の変位が可能となり、施錠規制手段において、戸袋体１の戸袋姿勢でのみ作動プレート２１の施錠位置−解錠位置の変位が可能となるように構成されている。これによって、落し錠装置Ｒの操作部１８による施錠−解錠操作は、戸袋体１が戸袋姿勢で、かつ、引き戸体５がスライド全開姿勢の場合にのみ限定されて実施できるように設定されており、誤操作により戸袋体１、引き戸体５が不測の作動をしてしまう（誤作動が発生する）ような不具合を確実に防止することができる。
【００２６】
さらに、落し錠装置Ｒが解錠状態となって、戸袋体１と引き戸体５とが開閉揺動する状態では、解錠位置に位置する作動プレート２１は、引き戸体５の本体部７が戸袋体１の表裏パネル体２、３対向間から引出されるのを規制する本体部位置規制手段（本発明の引き戸体位置規制手段に相当する）を構成している。
前記本体部位置規制手段は、解錠位置に位置する作動プレート２１と本体部の戸先側に設けられる第二規制体により構成されるが、本実施の形態では、第二規制体として支持受けレール１６の戸先側端面１６ｃが兼用されており、これによって、部材の兼用化がなされて構成の簡略化が図られている。前記支持受けレール１６は、前述したように、引き戸体５がスライド全開姿勢においては、作動プレート２１と干渉することはないが、引き戸体５が閉鎖方向にスライド変位することに伴い、支持受けレール１６と作動プレート２１の前端縁部２１ａとが上下方向に対向する位置関係となっているとともに、支持受けレール１６の上端面１６ｂが作動プレート２１の施錠位置と解錠位置との間に位置するように配設されている。さらに、支持受けレール１６は、作動プレート２１の解錠位置よりも下方に延出する形状に形成されている。これによって、落し錠装置Ｒが施錠状態となって作動プレート２１が施錠位置に位置する状態では、作動プレート２１は支持受けレール１６の上方に位置しており、引き戸体５がスライド開閉するのを妨げることはないが（図１６（Ｃ）参照）、落し錠装置Ｒが解錠状態となって作動プレート２１が下方の解錠位置に位置すると、作動プレート２１の表側端縁部２１ａにおける戸尻側端面２１ｄが支持受けレール１６の戸先側端面１６ｃに対向する状態（図１６ （Ｂ）参照）となり、本体部７の閉鎖方向へのスライド移動を規制し、本体部７をスライド全開姿勢に保持するように構成されており、該構成が本体部位置規制手段に相当する。
このように、落し錠装置Ｒが解錠状態となって戸袋体１と引き戸体５とが開閉揺動する状態であり、戸袋体１と引き戸体５とが任意の開放位置に位置する場合では、本体部位置規制手段が機能して、引き戸体５の本体部７がスライド全開姿勢を保持することができ、不用意に本体部７が戸袋体１の表裏パネル体２、３間から引出されるような不具合（誤作動）がないように構成されている。
【００２７】
また、落し錠装置Ｒが解錠状態にあって、戸袋体１と引き戸体５とが開閉揺動する状態では、解錠位置に位置する作動プレート２１は、引き戸体５の上部バー６が閉鎖方向に変位するのを規制する上部バー位置規制手段を構成している。
前記上部バー位置規制手段は、解錠位置に位置する作動プレート２１と上側枠体４に固定される上部バー位置規制ユニット２４とともに構成されている。前記上部バー位置規制ユニット２４は、図１１に示すように、戸袋体１（裏パネル体３）に設けられた上ロッド１９の上側先端１９ａが施錠状態になることにより係止する錠受け部４ｃとともにユニット化された状態で形成されており、錠受け部４ｃの戸先側に設けられるケース体２４ａは、上部バー６の下方で、かつ、上部バー６よりも裏側に位置して設けられており、ケース体２４ａの戸尻側端面は、上ロッド１９に固定された作動プレート２１の戸先側端縁部２１ｃと近接対向するように設定されている。前記ケース体２４ａには、戸尻側端面から戸尻側に向けて突出し、戸尻側端部が作動プレート２１の戸先側端縁部２１ｃに上下方向に対向するアーム体２４ｂの中間部が上下方向揺動自在に枢支されている。さらに、ケース体２４ａには、表側端部がケース体２４ａの表側端面から表側に向けて突出する本発明の第四規制体に相当する作動ピン２４ｃが表裏方向移動自在に支持されており、該作動ピン２４ｃの突出基端部は、所定の連結手段を介してアーム体２４ｂの戸先側端部に連動連結されている。そして、アーム体２４ｂは、戸尻側端部が下方揺動して解錠位置に位置する作動プレート２１の直上に近接する状態では、作動ピン２４ｃを表側に突出して作動ピン２４ｃの突出先端部が上部バー６の下方に位置するように設定されており（図１１（Ａ）の実線）、該状態において、作動ピン２４ｃは付勢弾機２４ｄの付勢力を受けるように構成されている。この状態から、作動プレート２１が上方の施錠位置に変位すると、アーム体２４ｂが強制的に上方揺動せしめられ、作動ピン２４ｃを付勢弾機２４ｄの付勢力に抗して退避させ、上部バー６配設位置よりも裏側に位置させるように構成されている（図１１（Ａ）の二点鎖線）。
【００２８】
一方、上部バー６の戸先側であって、引き戸体５のスライド全開姿勢において前記上部バー位置規制ユニット２４のケース体２４ａに表裏方向に対向する部位には、
上部バー６の下方に突出する作動ピン２４ｃに戸尻側から係止して上部バー６が閉鎖方向に移動するのを規制する位置規制片６ｄが下方に突出形成されている。これによって、落し錠装置Ｒが施錠状態となって、作動プレート２１が施錠位置に位置する場合では、アーム体２４ｂが上動して作動ピン２４ｃを上部バー６より裏側に退避させる状態となっており、上部バー６の位置規制片６ｄと作動ピン２４ｃとが干渉することがなく、上部バー６のスライド移動を損なうことがない（図１６（Ｃ）参照）。これに対し、落し錠装置Ｒが解錠状態となって、作動プレート２１が下方の解錠位置に位置する場合では、アーム体２４ｂが下方揺動して作動ピン２４ｃを上部バー６の下方に突出する状態となり、該作動ピン２４ｃに位置規制片６ｄが戸尻側から係止することにより、上部バー６の閉鎖方向の移動を規制する（図１６（Ｂ）参照）ように構成されており、該構成が上部バー位置規制手段に相当する。尚、落し錠装置Ｒが解錠状態から施錠状態となった場合では、作動プレート２１が施錠位置になることでアーム体２４ｂが付勢弾機２４ｄの付勢力を受けて上方揺動し、作動ピン２４ｃを退避させるように構成されている。
このように、落し錠装置Ｒが解錠状態となって戸袋体１と引き戸体５の本体部７とが開閉揺動する状態であり、戸袋体１と引き戸体５とが任意の揺動開放位置に位置する場合では、上部バー位置規制手段が機能して、引き戸体５の上部バー６をスライド全開姿勢に保持することができ、不用意にスライド全開姿勢となった上部バー６が閉鎖方向に変位するような不具合がなく、戸袋体１と本体部７とが開き戸として作動する状態から引き戸として作動させる場合に、上部バー６と本体部７との一体化（フック体６ｂと係止片７ａとの係止、落し錠装置Ｒの施錠）をする際の位置合わせが円滑になされるように構成されている。
因みに、上部バー６は、前述したようにエンドストッパ１２、エンドストッパ受け１２ａとの係止によりスライド全開姿勢に保持される構成となっており、上部バー位置規制手段が設けられることで、上部バー６の閉鎖方向への変位を一層確実に規制することができる。
【００２９】
このように、開き戸機構付き引き戸装置は、戸袋体１が戸袋姿勢となり、落し錠装置Ｒが施錠状態となっている状態では、引き戸体５が走行レール８を左右方向に移動して開口部他半部を開閉する引き戸として作動する。そして、この場合に、引き戸体５がスライド全開姿勢以外の開放位置に位置する状態では、解錠規制手段が機能して落し錠装置Ｒを解錠状態にすることはできない。そして、戸袋体１の戸袋姿勢、引き戸体５をスライド全開姿勢にすることにより、落し錠装置Ｒを施錠−解錠の何れかに切換えることが可能となり、解錠状態とした状態では、開き戸として作動させることが可能となり、戸袋体１を開放揺動させることに伴い、上部バー６と戸袋体１内（表裏パネル体２、３の対向間）の本体部７との一体化が解除されて、戸袋体１と本体部７との開閉揺動がなされ開口部全域を開閉する開き戸として作動する。そして、この場合に、戸袋体１と本体部７とが開閉揺動して、戸袋体１が戸袋姿勢以外の揺動開放位置に位置する状態では、施錠規制手段が機能して落し錠装置Ｒを施錠状態にすることはできない。さらに、この解錠状態では、本体部位置規制手段と上部バー位置規制手段とが機能して、開き戸として作動している間は、戸袋体１内から本体部７が引出されることや、上部バー６が閉鎖方向に変位してしまうことを確実に防止することができ、これによって、開き戸機構付き引き戸装置が操作性、機能性に優れたものになるように構成されている。
【００３０】
上述の如く構成された本発明の実施の形態において、引き戸体５は走行レール８に沿ってスライド開閉することにより引き戸として作動し、引き戸体５が開口部の他半部を開放するスライド全開姿勢となったときには、引き戸体５（本体部７）は戸袋体１とともに表側に開放揺動することにより開き戸として作動できるように構成されている。この場合に、引き戸体５を開閉揺動規制状態または開閉揺動自在状態とに切換える引き戸用施錠装置である引き戸用ロッドユニット２２は、引き戸体５がスライド全開姿勢となることに伴い、落し錠装置Ｒの上ロッド１９の上下方向の変位で施錠位置と解錠位置とに変位する作動部材である作動プレート２１に連繋し、引き戸体５のスライド全開姿勢において、落し錠装置Ｒの操作部１８の施錠−解錠操作がなされると、引き戸体５を施錠−解錠状態に切換えることが可能となる。この結果、落し錠装置Ｒの操作部１８の一回の操作で、戸袋体１を施錠−解錠状態とする切換えと、引き戸体５を施錠−解錠状態とする切換えとを行うことができて、操作性に優れた開き戸機構付き引き戸装置とすることができる。しかも、これらの切換えは、引き戸体５がスライド全開姿勢で実施されるので、従来のもののように、引き戸体５がスライド開閉作動しているときに戸袋体１が開閉揺動するような誤作動を確実に防止できる。
【００３１】
このように、本発明が実施されたものにあっては、引き戸体５がスライド全開姿勢となることで、戸袋体１と引き戸体５とを同時に施錠−解錠操作できるものであるが、このものでは、落し錠装置Ｒが施錠状態となって引き戸体５がスライド全開姿勢以外の姿勢にあり、落し錠装置Ｒと引き戸体施錠装置とが連繋しない状態では、作動プレート２１が支持受けレール１６に当接することにより構成される解錠規制手段が機能して、作動プレート２１を解錠位置に変位することができず落し錠装置Ｒを解錠状態に操作することができない。この結果、引き戸体５が引き戸として作動している状態では、上部バー６と本体部７とが解錠状態とならないばかりでなく、戸袋体１が解錠状態となることをも規制できて、引き戸体５のスライド開閉作動時に、落し錠装置Ｒが解錠操作されて戸袋体１が揺動するようなことを確実に防止できる。
【００３２】
また、本発明が実施されたものでは、落し錠装置Ｒの解錠状態では、引き戸体５（本体部７）がスライド全開姿勢から閉鎖方向に変位するのが規制されるようにしたので、開き戸として戸袋体１と引き戸体５（本体部７）とが開閉揺動している状態で引き戸体５（本体部７）が戸袋体１から引出されてしまうような不具合がないうえ、開き戸から引き戸として作動するべく上部バー６に本体部７を係止させる場合に、上部バー６と本体部７とが位置ズレするようなことがなく、円滑、かつ、容易に作動状態を切換えることができて、操作性のさらなる向上を図ることができる。
【００３３】
さらに、このものでは、落し錠装置Ｒが解錠状態となって、戸袋体１と本体部７とが開閉揺動する状態、即ち、戸袋体１が戸袋姿勢以外の姿勢になると、施錠規制手段を構成する施錠規制ユニット２３の第三規制体である規制ピン２３ｄが作動プレート２１の施錠位置への変位を規制して落し錠装置Ｒを施錠状態に操作することができない。この結果、戸袋体１と本体部７とが開き戸として作動している状態では、作動プレート２１と引き戸用ロッドユニット２２とが連繋可能な状態でありながら、作動プレート２１の施錠位置への変位が規制されて、引き戸用ロッド２２ｃと上ロッド１９との両者が不用意に突出するような不具合を確実に防止され、突出したロッド２２ｃ、１９とが邪魔になって、戸袋体１と引き戸体５とが開閉揺動する状態から開口部一半部を閉鎖する戸袋姿勢とスライド全開姿勢とに変姿できないような不具合がない。しかも、このようにすることにより、落し錠装置Ｒは戸袋体１が戸袋姿勢で、かつ、引き戸体５がスライド全開姿勢のときのみ操作できることになって、一層操作性がよく、誤作動の発生を防止できるという利点がある。
【００３４】
そして、このものにおいて、引き戸体５を、上部バー６と本体部７とに係脱自在に連結する構成としたので、引き戸体５を開き戸として機能させる場合に、上部バー６を走行レール８に吊持させたままの状態にすることができて、円滑で、静粛な開き戸機構付き引き戸装置とすることができるが、この場合に、引き戸用施錠装置である引き戸用ロッドユニット２２は、上部バー６と本体部７とにより構成される引き戸体５を、上部バー６と本体部７とを一体化して本体部７の開閉揺動を規制する施錠状態と、上部バー６と本体７との一体化を解除して本体部７の開閉揺動を自在とする解錠状態とに切換えるので、引き戸体５が誤作動するような不具合を防止できる。
【００３５】
また、本発明が実施されたものでは、落し錠装置Ｒの解錠状態では、引き戸体５の上部バー６がスライド全開姿勢から閉鎖方向に変位するのが規制されるようにしたので、開き戸から引き戸として作動するべく上部バー６に本体部７を係止させる場合に、上部バー６と本体部７とが位置ズレするようなことがなく、円滑、かつ、容易に作動状態を切換えることができて、操作性のさらなる向上を図ることができる。
そのうえ、開閉揺動の過程では、落し錠装置Ｒの施錠規制がなされることから解錠状態が保持されて、上部バー位置規制手段と本体部位置規制手段とによる機能を受けることができて、優れた操作性の開き戸機構付き引き戸装置とすることができる。
【００３６】
さらには、戸袋体１を施錠−解錠する装置として落し錠装置Ｒを用い、引き戸体５を施錠−解錠する装置として引き戸用ロッドユニット２２を用いる構成としたので、上ロッド１９と引き戸用ロッド２２ｃの作動方向が同様で、作動プレート２１による引き戸用ロッドユニット２２との連繋構成の簡略化を図ることができる。
【００３７】
尚、本発明は前記実施の形態に限定されないことは勿論であって、引き戸体を、走行レールに吊持されるローラユニットが上端部に直接設けられる構成とする一方、引き戸用施錠装置を、引き戸体のスライド全開姿勢において、引き戸体から突出するロッド体が例えば走行レールに開設された貫通孔に係止させることで施錠状態となり、ロッド体を貫通孔から脱落させることにより解錠状態となる構成とすることもできる。
【図面の簡単な説明】
【００３８】
【図１】図１（Ａ）、（Ｂ）はそれぞれ開き戸機構付き引き戸装置の全閉姿勢における概略正面図、揺動全開姿勢における概略正面図である。
【図２】開き戸機構付き引き戸装置の全閉姿勢における正面図である。
【図３】開き戸機構付き引き戸装置のスライド全開姿勢におけ正面図である。
【図４】開き戸機構付き引き戸装置の揺動全開姿勢における正面図である。
【図５】開き戸機構付き引き戸装置の作用を説明する平面図である。
【図６】図６（Ａ）は戸袋体の戸尻部における縦断面図であって戸袋体の軸承状態を示し、図６（Ｂ）は引き戸体のスライド全開姿勢における戸尻部の縦断面図であって引き戸体の戸袋体への支持状態を示し、図６（Ｃ）は引き戸体の全閉姿勢における戸先側の縦断面図であって上部バーと本体部との連結状態を示す。
【図７】図７（Ａ）は引き戸体の全閉姿勢における本体部の上部バーに対する支持高さを説明するパターン化した正面図。図７（Ｂ）は引き戸体のスライド全開姿勢における本体部の上部バーに対する支持高さを説明するパターン化した正面図である。
【図８】図８（Ａ）は作動プレートの平面図、図８（Ｂ）、（Ｃ）はそれぞれ上ロッド先端部の平面図、正面図、図８（Ｄ）、（Ｅ）はそれぞれ上ロッド基端部の平面図、正面図、図８（Ｆ）は上ロッドに作動プレートを組込んだ状態の正面図である。
【図９】図９（Ａ）、（Ｂ）、（Ｃ）はそれぞれ引き戸用ロッドユニットの平面図、側面図、正面図である。
【図１０】図１０（Ａ）、（Ｂ）、（Ｃ）はそれぞれ施錠規制ユニットの平面図、正面図、側面図である。
【図１１】図１１（Ａ）、（Ｂ）、（Ｃ）はそれぞれ上部バー位置規制ユニットの平面図、正面図、側面図である。
【図１２】図３の要部拡大正面図である。
【図１３】開き戸機構付き引き戸装置の要部拡大平面図である。
【図１４】図４の要部拡大正面図である。
【図１５】図１５（Ａ）は引き戸体のスライド全開姿勢における落し錠装置近傍の縦断面図であって落し錠装置の施錠状態を示し、図１５（Ｂ）は引き戸体のスライド全開姿勢における落し錠装置近傍の縦断面図であって落し錠装置の解錠状態を示し、図１５（Ｃ）は引き戸体の全閉姿勢における戸袋体の戸先側部の縦断面図であって戸袋体の戸袋姿勢を示す。
【図１６】図１６（Ａ）は引き戸体のスライド全開姿勢における落し錠装置近傍の縦断面図であって施錠規制ユニットの作用を示し、図１６（Ｂ）は引き戸体のスライド全開姿勢における落し錠装置近傍の縦断面図であって本体部位置規制手段と上部バー位置規制手段とによる規制状態（落し錠装置の解錠状態）を示し、図１６（Ｃ）は引き戸体のスライド全開姿勢における落し錠装置近傍の縦断面図であって本体部位置規制手段と上部バー位置規制手段とによる規制解除状態（落し錠装置の施錠状態）を示す。
【符号の説明】
【００３９】
１    戸袋体
３    裏パネル体
４    上側枠体
４ａ    ピボットヒンジ
５    引き戸体
６    上部バー
６ｂ    フック体
７    本体部
７ａ    係止片
８    走行レール
９ａ    走行ローラ
１４    支持受けローラ
１５    支持レール
１６    支持受けレール
１７    支持ローラ
１８    操作部
１９    上ロッド
２１    作動プレート
２２    引き戸用ロッドユニット
２２ｃ    引き戸用ロッド
２３    施錠規制ユニット
２３ｄ    規制ピン
２４    上部バー位置規制ユニット
２４ｃ    作動ピン
【図１】
2010024807.tif 000003
【図２】
2010024807.tif 000004
【図３】
2010024807.tif 000005
【図４】
2010024807.tif 000006
【図５】
2010024807.tif 000007
【図６】
2010024807.tif 000008
【図７】
2010024807.tif 000009
【図８】
2010024807.tif 000010
【図９】
2010024807.tif 000011
【図１０】
2010024807.tif 000012
【図１１】
2010024807.tif 000013
【図１２】
2010024807.tif 000014
【図１３】
2010024807.tif 000015
【図１４】
2010024807.tif 000016
【図１５】
2010024807.tif 000017
【図１６】
2010024807.tif 000018